(57)【要約】【課題】  通信ネットワーク上のコンテンツを、複数の出力モードで簡易に出力することができる携帯端末、携帯端末の制御方法及びプログラムを提供する。【解決手段】  使用者が操作部１２から各出力モードに関する出力条件の設定操作を行うと、ブラウザ設定部２４は各出力条件を記憶部１４に記憶する。次に、使用者が操作部１２から所望のウェブサイトに存在するコンテンツの表示の指示を出力モードの指示とともに行うと、モード切替部２６は、指示された出力モードの出力条件を記憶部１４から読み出してブラウザ部２２に設定する。ブラウザ部２２は、指示されたウェブサイトの参照情報を使用して所望のコンテンツにアクセスし、ウェブページのソースを取得し、上記再設定された出力条件を使用して上記ソースから所望のコンテンツの表示データを発生する。【選択図】        図１
2006154262.tif 000002
【特許請求の範囲】
【請求項１】
通信ネットワーク上のコンテンツを複数の出力モードで出力可能な携帯端末であって、
前記出力モード毎に出力条件を設定する出力条件設定手段と、
前記出力モードを切り替えるモード切替手段と、
前記出力モードが切り替えられた場合に、前記出力モードに設定された出力条件により所望のコンテンツを出力する出力手段と、
を備えることを特徴とする携帯端末。
【請求項２】
請求項１記載の携帯端末において、前記設定された出力条件を出力モード毎に記憶する記憶手段をさらに備え、前記モード切替手段により出力モードを切り替えた場合に、前記記憶手段に記憶された出力条件に基づいて前記コンテンツの出力を変更することを特徴とする携帯端末。
【請求項３】
請求項１または請求項２記載の携帯端末において、前記出力条件は、ズームサイズ、文字サイズ、書体、文字コード、画像データ取得の有無、音声データ再生の有無及び音声データの再生音量を含むことを特徴とする携帯端末。
【請求項４】
請求項１から請求項３のいずれか一項記載の携帯端末において、前記出力条件は、端末情報の出力・非出力に関する設定を含むことを特徴とする携帯端末。
【請求項５】
請求項１から請求項４のいずれか一項記載の携帯端末において、前記出力条件は、所望のコンテンツを取得するための接続先に関する設定を含むことを特徴とする携帯端末。
【請求項６】
請求項１から請求項５のいずれか一項記載の携帯端末において、前記出力条件は、オートリダイレクト及び／またはリフレッシュに関する設定を含むことを特徴とする携帯端末。
【請求項７】
請求項１から請求項６のいずれか一項記載の携帯端末において、前記出力モードを示す情報が出力画面に出力されることを特徴とする携帯端末。
【請求項８】
請求項７記載の携帯端末において、前記出力モードを示す情報の出力は、出力画面のスクロール移動方向を示す出力により行われることを特徴とする携帯端末。
【請求項９】
請求項１から請求項８のいずれか一項記載の携帯端末において、前記モード切替手段による出力モードの切替により、縦横方向にスクロール可能な出力画面が縦方向のみにスクロール可能な出力画面に切り替わることを特徴とする携帯端末。
【請求項１０】
請求項１から請求項８のいずれか一項記載の携帯端末において、前記モード切替手段による出力モードの切替により、縦方向のみにスクロール可能な出力画面が縦横方向にスクロール可能な出力画面に切り替わることを特徴とする携帯端末。
【請求項１１】
通信ネットワーク上のコンテンツを複数の出力モードで出力可能な携帯端末の制御方法であって、
前記出力モード毎に出力条件を設定するステップと、
前記出力モードが切り替えられた場合に、前記出力モードに設定された出力条件により所望のコンテンツを出力するステップと、
を備えることを特徴とする携帯端末の制御方法。
【請求項１２】
通信ネットワーク上のコンテンツを複数の出力モードで出力可能とするために、前記出力モード毎に出力条件を設定し、
前記出力モードを切り替え、
前記出力モードが切り替えられた場合に、前記出力モードに設定された出力条件により所望のコンテンツを出力する処理をコンピュータに実行させることを特徴とするプログラム。
【発明の詳細な説明】
【技術分野】
【０００１】
本発明は、通信ネットワーク上のコンテンツを複数の出力モードで出力可能な携帯端末、携帯端末の制御方法及びプログラムの改良に関する。
【背景技術】
【０００２】
従来より、インターネットのような通信ネットワーク上のコンテンツを出力すなわち画面表示及び／または音声出力することができる携帯端末が実用化されている。例えば、下記特許文献１には、インターネットにアクセスし、ホームページを取得・表示する携帯電話の例が開示されている。
【特許文献１】特開２００２−６３０１６号公報
【発明の開示】
【発明が解決しようとする課題】
【０００３】
しかし、上記従来の技術においては、通信ネットワーク上のコンテンツを、複数の出力モードで出力するものでは無かった。また、仮に複数の出力モードで出力しようとすると、各出力モード毎にブラウザの各種設定を変更する必要が有り、操作が煩雑になるという問題が生じる。
【０００４】
本発明は、上記従来の課題に鑑みなされたものであり、その目的は、通信ネットワーク上のコンテンツを、複数の出力モードで簡易に出力することができる携帯端末、携帯端末の制御方法及びプログラムを提供することにある。
【課題を解決するための手段】
【０００５】
上記目的を達成するために、本発明は、通信ネットワーク上のコンテンツを複数の出力モードで出力可能な携帯端末であって、前記出力モード毎に出力条件を設定する出力条件設定手段と、前記出力モードを切り替えるモード切替手段と、前記出力モードが切り替えられた場合に、前記出力モードに設定された出力条件により所望のコンテンツを出力する出力手段と、を備えることを特徴とする。
【０００６】
また、上記携帯端末は、前記設定された出力条件を出力モード毎に記憶する記憶手段をさらに備え、前記モード切替手段により出力モードを切り替えた場合に、前記記憶手段に記憶された出力条件に基づいて前記コンテンツの出力を変更することを特徴とする。
【０００７】
ここで、上記出力条件は、ズームサイズ、文字サイズ、書体、文字コード、画像データ取得の有無、音声データ再生の有無及び音声データの再生音量、端末情報の出力・非出力に関する設定、所望のコンテンツを取得するための接続先に関する設定、オートリダイレクト及び／またはリフレッシュに関する設定を含むのが好適である。
【０００８】
また、上記携帯端末は、前記出力モードを示す情報が出力画面に出力されるのが好適である。ここで、上記出力モードを示す情報の出力は、出力画面のスクロール移動方向を示す出力により行われるのが好適である。
【０００９】
また、上記携帯端末において、前記モード切替手段による出力モードの切替により、縦横方向にスクロール可能な出力画面が縦方向のみにスクロール可能な出力画面に切り替わり、また、前記モード切替手段による出力モードの切替により、縦方向のみにスクロール可能な出力画面が縦横方向にスクロール可能な出力画面に切り替わるように構成するのが好適である。
【００１０】
また、本発明は、通信ネットワーク上のコンテンツを複数の出力モードで出力可能な携帯端末の制御方法であって、前記出力モード毎に出力条件を設定するステップと、前記出力モードが切り替えられた場合に、前記出力モードに設定された出力条件により所望のコンテンツを出力するステップと、を備えることを特徴とする。
【００１１】
また、本発明は、通信ネットワーク上のコンテンツを複数の出力モードで出力可能とするためのプログラムであって、前記出力モード毎に出力条件を設定し、前記出力モードを切り替え、前記出力モードが切り替えられた場合に、前記出力モードに設定された出力条件により所望のコンテンツを出力する処理をコンピュータに実行させることを特徴とする。
【発明の効果】
【００１２】
本発明によれば、出力モード毎に出力条件を設定し、出力モードが切り替えられた場合に、当該出力モードに設定された出力条件により所望のコンテンツを出力するので、通信ネットワーク上のコンテンツを、複数の出力モードで簡易に出力することができる。
【発明を実施するための最良の形態】
【００１３】
以下、本発明を実施するための最良の形態（以下、実施形態という）を、図面に従って説明する。
【００１４】
図１には、本発明にかかる携帯端末の一実施形態の構成のブロック図が示される。図１において、携帯端末は、表示部１０、操作部１２、記憶部１４、通信部１６及び制御部１８を含んで構成されている。
【００１５】
表示部１０は、例えば液晶ディスプレイ等で構成され、文字データ、数値データ等のキー入力の内容、各種図形、ブラウザ部２２が発生した通信ネットワーク上のコンテンツの内容等を表示する。
【００１６】
上記キー入力は、図１の操作部１２により行う。この操作部１２は、例えば携帯端末の操作ボタン等により構成される。
【００１７】
記憶部１４は、例えば制御部１８の作業用のＲＡＭ、不揮発性メモリとしてのＥＥＰＲＯＭ、磁気記憶媒体等で構成されており、キー入力の内容、コンテンツの出力条件等の各種データ及びプログラムが記憶される。
【００１８】
通信部１６は、公知の方法により基地局と通信して携帯通信端末としての通話機能を実現している。
【００１９】
制御部１８は、例えばＣＰＵ等で構成され、表示部１０、操作部１２、記憶部１４及び通信部１６とデータのやり取りを行いながらこれらの動作を制御する。
【００２０】
制御部１８の表示制御部２０は、主として表示部１０に表示される内容を制御する。この表示には、通信ネットワーク上のコンテンツの表示も含まれる。
【００２１】
また、ブラウザ部２２は、通信ネットワーク上に存在するコンテンツを参照するための参照情報を用いてコンテンツにアクセスし、コンテンツのソースを所望のウェブサイトから受け取って表示データに変換する。なお、コンテンツには音声データも含まれていてよく、この場合、ブラウザ部２２は、通信部１６に含まれる音声再生部から音声を出力させるように構成される。また、上記参照情報としては、インターネット上のコンテンツを特定し、このコンテンツの所在を指示するＵＲＬ（Ｕｎｉｆｏｒｍ  Ｒｅｓｏｕｒｃｅ  Ｌｏｃａｔｏｒ）等を使用することができる。
【００２２】
また、ブラウザ設定部２４は、ブラウザ部２２が表示データ及び音声データを含む出力データを所望のウェブサイトから取得し、且つこれらのデータを上記表示制御部２０が表示部１０に表示し及び音声再生部から音声を出力する際に使用される出力条件を設定するための処理を実行する。この出力条件の設定は、複数規定される出力モード毎に行われる。
【００２３】
ここで、出力モードとしては、例えば上記コンテンツとしてのウェブサイトのページを、表示部１０の画面の横幅にあわせて縮小表示するケータイモード、ウェブサイトのページを元のままの大きさで表示するフルスクリーンモード及びウェブサイトのページを表示部１０の画面の横幅にあわせてフォーマットし直して表示するスモールスクリーンモード等がある。上記フルスクリーンモードでは、表示部１０の表示画面に表示されたページの画面がコンテンツのページの一部であるので、表示制御部２０が表示されたページを縦横方向にスクロールできるように制御する。また、ケータイモード及びスモールスクリーンモードでは、ページの横方向が表示画面の横幅に収まるように構成されているので、表示制御部２０が表示されたページを縦方向のみにスクロールできるように制御する。
【００２４】
また、上記出力条件としては、例えば画面の表示内容の拡大、縮小に関するズームサイズ、文字サイズ、書体、文字コード、コンテンツのソースを取得する際の画像データ取得の有無、取得した音声データ再生の有無、音声データの再生音量、バッテリ残量その他の端末情報の表示・非表示、ダイアルアップの接続先、オートリダイレクト、リフレッシュ等がある。
【００２５】
また、制御部１８のモード切替部２６は、上記複数の出力モードを切り替えて、それぞれの動作を実行させる処理を行う。
【００２６】
なお、上述した制御部１８は、ＣＰＵを中心として構成されたコンピュータであってよく、この場合、メモリカードその他の媒体に格納されたプログラムをＣＰＵが実行することで制御部１８の各機能が実現される。
【００２７】
図２には、上記各出力モード毎に設定された出力条件（パラメータ）を出力モードと関連付けて記憶した記憶部１４の記憶領域の構成例が示される。図２に示されるように、各出力モード毎に出力条件であるパラメータが設定されている。このパラメータの設定は、使用者による操作部１２からの入力に基づき、ブラウザ設定部２４が実行する。
【００２８】
ここで、図２に示されるズームサイズは、画面の表示内容の拡大、縮小の程度を決定するパラメータであり、この値が１００％であるときにウェブサイトから受け取ったソースをブラウザ部２２で拡大、縮小しないで表示する設定となる。また、文字サイズは、ブラウザ部２２が有している文字の大きさの設定であり、書体はゴシック、明朝等のブラウザ部２２が有している書体の設定であり、文字コードはシフトＪＩＳ、ＥＵＣ、ＩＳＯ、ＵＴＦ−８等のブラウザ部２２が有している文字コードの設定である。また、画像取得は、ブラウザ部２２がウェブサイトから画像データを受け取るか否かを決定するパラメータである。また、音声再生はウェブサイトからバックグラウンドミュージック（ＢＧＭ）等の音声データを取得して再生するか否かを決定するパラメータであり、音量は音声データを再生するときの音の大きさを決定するパラメータである。また、配色は画面表示を単色（白黒）とするかカラーとするかを決定するパラメータであり、明るさは表示部１０の明るさを決定するパラメータであって、複数段階（例えば５段階）に表示部１０の明るさを調節できる。また、点灯時間は操作部１２のキー操作が行われない場合に表示部１０の明るさを最低レベルに移行させるまでの時間であるが、設定をＯＦＦとしておくと本機能は動作しない。なお、操作部１２のキー操作が所定時間行われない場合に、表示部１０に供給する電源を停止するようなパラメータを設けてもよい。
【００２９】
また、端末情報はバッテリ残量、時刻、電界状態等の端末の情報を表示する領域の表示・非表示を決定するパラメータであり、図３に当該領域の例が示される。図３において、表示部１０の表示画面には、ピクトエリア、タイトルバー、スクロールバー、ガイドエリアが設けられ、これらにより端末の情報が表示される。ピクトエリアには、時刻、バッテリ残量、電界状態及び現在の出力モードを示す情報等が表示される。出力モードを示す情報としては、前述したフルスクリーンモードを十字方向の矢印で表し、スモールスクリーンモードを上下方向矢印で表すようにすれば、それぞれの出力モードにおけるページのスクロール方向と一致して、操作内容を観念しやすくすることができる。なお、このときケータイモードは無印または上記矢印以外のマークで表すようにする。
【００３０】
また、タイトルバーには現在表示しているページのタイトル、各種機能を表すアイコン等が表示される。スクロールバーには現在の表示位置の指標となる図形が表示される。ガイドエリアには操作部１２の各キーに現在の端末の状態で割り当てられている処理のガイドが表示される。
【００３１】
さらに、図２に示されたパラメータの接続先はダイアルアップサーバ等所望のコンテンツを取得するための接続先を決定するパラメータである。このように接続先を出力モード毎に設定できるので、例えば上記画像取得のパラメータで画像データを取得しない設定の出力モードの場合には、通信速度が遅いが通信料金の安い接続先とし、画像データを取得する設定の出力モードの場合には、通信料金が高くても通信速度の速い接続先とすることができ、出力モードに合わせた接続先の選択を予め設定しておくことができる。また、オートリダイレクトまたはリフレッシュは、ブラウザ部２２にオートリダイレクト処理またはリフレッシュ処理を実行させるか否かを決定するパラメータである。オートリダイレクト処理は、ブラウザ部２２が存在しないウェブサイトをリクエストした場合に、表示部１０にエラー表示を出す替わりに所望のページを検索するための案内用のページ等を表示する処理である。また、リフレッシュ処理は、一定時間が経過すると、指定されたウェブサイトのソースを取りに行く処理である。
【００３２】
以上のようにして、各出力モード毎に出力条件としてのパラメータを設定できるので、携帯端末の出力モードが切り替えられた場合に、その都度パラメータを変更しなくても、通信ネットワーク上のコンテンツを、当該出力モードに設定された出力条件で出力することができる。
【００３３】
なお、出力条件（パラメータ）としては、図２に示されたものに限られず、必要に応じて追加、削除をすることができる。
【００３４】
図４には、図１に示された携帯端末の動作の説明図が示される。図４において、使用者が操作部１２から各出力モードに関する出力条件の設定操作を行うと、ブラウザ設定部２４は、操作部１２から入力された各出力条件を記憶部１４に記憶する。これにより、図２に示されたテーブルが構成される。なお、この出力条件の設定は、ある出力モードで携帯端末が動作中に、所定の設定画面を表示部１０に表示させ、その設定画面により所望の出力モードを指定して行う。
【００３５】
次に、使用者が操作部１２から所望のウェブサイトに存在するコンテンツの表示の指示を出力モードの指示とともに行うと、モード切替部２６は、現在設定されている出力モードに関する出力条件を記憶部１４に記憶させ、指示された出力モードの出力条件を記憶部１４から読み出してブラウザ部２２に再設定する。なお、現在使用中の出力モードと同じ出力モードによる２回目以降の表示指示の場合は、出力条件の読み出し、再設定は省略されてもよい。
【００３６】
ブラウザ部２２は、モード切替部２６により再設定された出力条件に基づき、指示されたウェブサイトの参照情報を使用して所望のコンテンツにアクセスし、ウェブページのソースを取得する。次に、ブラウザ部２２は、記憶部１４から読み出した出力条件を使用して上記ソースから所望のコンテンツの表示データを発生し、表示制御部２０に渡す。表示制御部２０では、与えられた表示データを表示部１０に表示する。なお、音声データがある場合は、音声再生部から出力させる。
【００３７】
図５には、図１に示された携帯端末の他の動作の説明図が示される。図５では、出力モードの切り替えに伴い、接続先であるダイアルアップサーバの切り替えが行われている。図５において、使用者が操作部１２から所望のウェブサイトに存在するコンテンツの表示の指示を出力モードの指示とともに行うと、モード切替部２６は、現在設定されている出力モードに関する出力条件を記憶部１４に記憶させ、指示された出力モードの出力条件を記憶部１４から読み出してブラウザ部２２に再設定する。なお、現在使用中の出力モードと同じ出力モードによる２回目以降の表示指示の場合は、出力条件の読み出し、再設定は省略されてもよい。
【００３８】
ブラウザ部２２は、現在接続中のダイアルアップサーバＡを切断し、モード切替部２６により再設定された出力条件により指定されたダイアルアップサーバＢへの接続処理を実行する。次に、ブラウザ部２２は、上記再設定された出力条件に基づき、指示されたウェブサイトの参照情報を使用して所望のコンテンツにアクセスし、ウェブページのソースを取得する。次に、ブラウザ部２２は、記憶部１４から読み出した出力条件を使用して上記ソースから所望のコンテンツの表示データを発生し、表示制御部２０に渡す。表示制御部２０では、与えられた表示データを表示部１０に表示する。なお、音声データがある場合は、音声再生部から出力させる。
【００３９】
なお、図５では、ダイアルアップサーバを切替える例が示されているが、本実施形態は他の種類のサーバ、例えばＷＷＷサーバの切替にも適用できる。
【００４０】
以上に述べた本発明の構成によれば、出力モードが切り替えられた場合に、当該出力モードに設定された出力条件により所望のコンテンツを出力するので、出力モードの切替の都度出力条件を設定する必要がなく、通信ネットワーク上のコンテンツを、複数の出力モードで簡易に出力することができる。
【図面の簡単な説明】
【００４１】
【図１】本発明にかかる携帯端末の一実施形態の構成のブロック図である。
【図２】各出力モード毎に設定された出力条件（パラメータ）を出力モードと関連付けて記憶した記憶部の記憶領域の構成例を示す図である。
【図３】端末情報を表示する領域の例を示す図である。
【図４】図１に示された携帯端末の動作の説明図である。
【図５】図１に示された携帯端末の他の動作の説明図である。
【符号の説明】
【００４２】
１０  表示部、１２  操作部、１４  記憶部、１６  通信部、１８  制御部、２０  表示制御部、２２  ブラウザ部、２４  ブラウザ設定部、２６  モード切替部。
【図１】
2006154262.tif 000003
【図２】
2006154262.tif 000004
【図３】
2006154262.tif 000005
【図４】
2006154262.tif 000006
【図５】
2006154262.tif 000007